【手続補正書】
【提出日】平成28年8月17日(2016.8.17)
【手続補正１】
【補正対象書類名】特許請求の範囲
【補正対象項目名】全文
【補正方法】変更
【補正の内容】
【特許請求の範囲】
【請求項１】
部屋の床と前記部屋の天井に固定された天井レールとの間に固定される可動型取り外し可能壁パネルシステムの壁パネルであって、
左側、右側、表面および裏面を有するパネルであって、前記左側及び右側はフレームレスであり、前記パネルの前記上端に向けて上端部を、前記下端に向けて下端部を画成するパネルと、
前記パネルの前記表面および裏面に、前記パネルの前記上端部にて固定された上方クランプアセンブリと、
前記パネルの前記上端に沿って、前記パネルの右側および左側の間を長手方向に延伸する天井軌道であって、前記上方クランプアセンブリに固定され、前記天井レール中に取り外し可能に挿入されるように構成された天井軌道と、
下方クランプアセンブリであって、前記クランプアセンブリが前記パネルの重量を支持するために構成されるように、前記パネルの前記表面および裏面に前記パネルの前記下端部にて固定された下方クランプアセンブリと、
前記下方クランプアセンブリに固定され、前記パネルの垂直位置を選択的に修正するように構成された第１高さ調整機構と、
前記第１高さ調整機構から独立して前記パネルの垂直位置を選択的に修正するように構成された第２高さ調整機構と、
前記第１および第２高さ調整機構を収容し、前記パネルの下端に沿って、前記パネルの右側および左側の間を長手方向に延伸する下端床チャネルであって、床に配置されて前記第１および第２高さ調整機構を支持するように構成された下端床チャネルと、
前記下端床チャネルに取り付けるように構成された電気コンセントアセンブリであって、前記下端床チャネルに固定された下端カバーを含み、第１コンセント、前記第１コンセントに固定された第１取り付けブラケットおよび電源に接続するように構成されたコンジット供給アセンブリを収納する電気コンセントアセンブリと
を備える壁パネル。
【請求項２】
第２コンセント、ならびに前記第１コンセントおよび前記第２コンセントを電気接続する電気相互接続部をさらに備える、請求項１に記載の壁パネル。
【請求項３】
前記下端カバーが前記第１コンセントを露出させる第１開口部および前記第２コンセントを露出させる第２開口部を含む、請求項２に記載の壁パネル。
【請求項４】
前記下端カバーが前記第１取り付けブラケットを収容する第１スロットを含む、請求項１から３のいずれか一項に記載の壁パネル。
【請求項５】
第２取り付けブラケットをさらに備え、前記下端カバーが前記第２取り付けブラケットを収容する第２スロットを含む、請求項１から４のいずれか一項に記載の壁パネル。
【請求項６】
部屋の床と前記部屋の天井に固定された天井レールとの間に固定される可動型取り外し可能壁パネルシステムの壁パネルであって、
上端、下端、左側、右側、表面および裏面を有するパネルであって、前記パネルの左側及び右側はほぼフレームレスであり、前記パネルの前記上端に向けて上端部を、前記下端に向けて下端部を画成するパネルと、
前記パネルの前記表面および裏面に前記パネルの前記上端部にて固定された上方クランプアセンブリと、
前記パネルの前記上端に沿って、前記パネルの右側および左側の間を長手方向に延伸する天井軌道であって、前記上方クランプアセンブリに固定され、前記天井レール中に取り外し可能に挿入されるように構成された天井軌道と、
下方クランプアセンブリであって、前記クランプアセンブリが前記パネルの重量を支持するために構成されるように、前記パネルの前記表面および裏面に前記パネルの前記下端部にて固定された下方クランプアセンブリと、
前記下方クランプアセンブリに固定され、前記パネルの垂直位置を選択的に修正するように構成された第１高さ調整機構と、
前記第１高さ調整機構から独立して前記パネルの垂直位置を選択的に修正するように構成された第２高さ調整機構と、
前記第１および第２高さ調整機構を収容し、前記パネルの下端に沿って、前記パネルの右側および左側の間を長手方向に延伸する下端床チャネルであって、床に配置されて前記第１および第２高さ調整機構を支持するように構成された下端床チャネルと、
前記パネルに形成されたアパーチャを通じて前記パネルに固定されたレールおよびタイルシステムと
を備える壁パネル。
【請求項７】
前記レールおよびタイルシステムが支持システムを形成する複数のレールを備える、請求項６に記載の壁パネル。
【請求項８】
前記レールおよびタイルシステムが支持システムによって支持された複数のタイルを備える、請求項６または請求項７に記載の壁パネル。
【請求項９】
前記複数のタイルが前記支持システムに固定されている、請求項８に記載の壁パネル。
【請求項１０】
前記複数のタイルが布を備える、請求項８または請求項９に記載の壁パネル。
【請求項１１】
前記複数のタイルがベニヤまたは積層体を備える、請求項８から１０のいずれか一項に記載の壁パネル。
【請求項１２】
前記複数のタイルがガラスを備える、請求項８から１１のいずれか一項に記載の壁パネル。
【請求項１３】
前記支持システムに固定された付属品をさらに備える、請求項７から１２のいずれか一項に記載の壁パネル。
【請求項１４】
前記付属品が棚を備える、請求項１３に記載の壁パネル。
【請求項１５】
前記付属品がテーブル延長部を備える、請求項１３に記載の壁パネル。
【請求項１６】
可動型取り外し可能壁パネルシステムであって、
部屋の天井に沿って延伸する天井レールと、
第１プレハブ壁パネルであって、上端部、下端部、縦柱のない左側部及び縦柱のない右側部を有するパネルと、前記パネルの上端部に固定された上方クランプアセンブリと、前記上方クランプアセンブリに固定され、前記パネルの前記上端に沿って、前記パネルの右側および左側の間の長手方向に延伸する天井軌道であって、前記天井レール中に取り外し可能に挿入される天井軌道と、前記パネルの前記下端部に固定された下方クランプアセンブリと、前記下方クランプアセンブリに固定された下端床チャネルであって前記部屋の床に配置された下端床チャネルと、を含む第１プレハブ壁パネルと、
前記第１プレハブ壁パネルに隣接して配置された第２プレハブ・壁パネルであって、上端部、下端部、フレーム特徴部のない左側部及びフレーム特徴部のない右側部を有するパネルと、前記パネルの前記上端部に固定された上方クランプアセンブリと、前記上方クランプアセンブリに固定され、前記パネルの前記上端に沿って、前記パネルの右側および左側の間の長手方向に延伸する天井軌道であって、前記天井レール中に取り外し可能に挿入される天井軌道と、前記パネルの前記下端部に固定された下方クランプアセンブリと、前記下方クランプアセンブリに固定された下端床チャネルであって前記床に配置された下端床チャネルと、を含む第２プレハブ壁パネルと、
第１垂直脚および第２垂直脚を含む上方相互接続部であって、前記第１垂直脚が前記第２垂直脚の上に、前記第２垂直脚から後方にずれて位置決めされ、前記第１垂直脚が天井レールに固定され、前記第２垂直脚が前記第１および第２プレハブ壁パネルの前記天井軌道に固定された、上方相互接続部と、
２個の中央に位置するアパーチャを含む下方相互接続部であって、前記第１および第２プレハブ壁パネルの前記下端床チャネルに収容され、前記床に固定される下方相互接続部と
を備える壁パネルシステム。
【請求項１７】
前記上方および下方相互接続部が前記第１および第２プレハブ壁パネルの前記隣接する天井軌道間にて中央に位置決めされた、請求項１６に記載の壁パネルシステム。
【請求項１８】
前記上方相互接続部の前記第１垂直脚が前記上方相互接続部の前記第２垂直脚よりも実質的に狭い、請求項１６または請求項１７に記載の壁パネルシステム。